(57)【要約】【課題】本発明は、自車両近くの死角の発生を抑えつつ、違和感のない鏡像のままで車両の後側方の視野が拡げられる車両の後方視認用ミラー装置を提供する。【解決手段】本発明は、ミラー１１の鏡面１３のうち、車両内側の所定範囲の鏡面部分１３ａを、車両外側の鏡面部分１３ｂよりも大きな曲率に設定した。これにより、ミラー１１は、小さくとも十分に自車両および自車両の近くが視認可能な領域が確保されるうえ、車両の後側方を映し込む視野角が拡げられる。【選択図】      図３
2006123713.tif 000002
【特許請求の範囲】
【請求項１】
車両の車幅方向側部に取り付けられる、車両後方に鏡面が向くミラーを有してなり、
前記ミラーの鏡面のうち、車両内側の所定範囲の鏡面部分が、車両外側よりも大きな曲率に設定される
ことを特徴とする車両の後方視認用ミラー装置。
【請求項２】
車両の車幅方向側部に取り付けられる、車両後方に鏡面が向くミラーを有してなり、
前記ミラーが、
車両内側の所定範囲を車両に対し前方かつ車両側に角度を付けた鏡面部分で形成され、前記車両を映し込ませる第1鏡面部と、同第１鏡面部に続く車両外側の鏡面部分を前記車両に対し前方かつ車両外側に角度を付けた鏡面部分で形成され、車両側方を映し込ませる第２鏡面部とを有して形成される
ことを特徴とする車両の後方視認用ミラー装置。
【請求項３】
前記所定範囲は、前記ミラーの鏡面のうち、車両内側から１／４〜１／８の部分であることを特徴とする請求項1または請求項２に記載の車両の後方視認用ミラー装置。
【請求項４】
前記所定範囲の鏡面部分のうち、少なくとも下側の鏡面部分は、前記車両後方下側に向けて傾けてあることを特徴とする請求項１ないし請求項３にいずれか一つに記載の車両の後方視認用ミラー装置。
【発明の詳細な説明】
【技術分野】
【０００１】
本発明は、車両の側部から、ミラーにより車両後方を視認する車両の後方視認用ミラー装置に関する。
【背景技術】
【０００２】
乗用車（車両）の運転手の多くは、運転中、安全性の確保のため、車体側部に設けたアウトサイドミラー装置（後方視認用ミラー装置に相当）を用いて、車両後方を視認することが行われている。
【０００３】
こうしたアウトサイドミラー装置には、鏡面を車両後方に向けたミラーが用いられる。運転者による車両後方の視認は、ミラーの鏡面うち、車体内側に自車両の一部を映し込み、残る車体外側に車両の側方を映し込んで行われる。そして、運転者は、鏡面に移し込まれる像から自車両後方の状況を把握する。
【０００４】
ところで、車両の後側方の視野は、安全性の確保のため、できるだけ広い方が望ましい。
【０００５】
一般には、車両の後側方の視野を拡げる場合は、ミラーの傾きの変更により、車体後方が映し込まれる領域をずらすことで対応している。
【０００６】
ところが、通常、ミラーの鏡面は、予め定められた外形および一定の曲率をもつ鏡面で形成されるため、後側方の視野をずらすにしたがい、自車両の映り込みが小さくなる。このため、自車両の近くに死角が生じる問題がある。
【０００７】
この問題を解消する技術として、ミラーの鏡面の車体外側の端部を車体前側へ湾曲させて、自車両側の視野はそのままにしながら、車両外側の視野を拡げる技術が提案されている（例えば特許文献１を参照）。
【特許文献１】特開２０００−２７２４１９号公報
【発明の開示】
【発明が解決しようとする課題】
【０００８】
上記のような鏡面の車体外側の端部を湾曲させる構造は、確かに湾曲により車両の後側方の視野は拡がる。しかしながら、この鏡面は、平面な鏡面で映し込まれる像と湾曲した鏡面で映し込まれる像が共存するために、視野角が途中で変わる。このため、鏡面に映し出される像の距離感が、鏡面の外側端部とそれ以外の部分とで異なる。
【０００９】
そのため、例えばミラーを用いて車両後方の車両を視認しているときなどでは、遠方あるいは車両外側から近づいてくる車両に対する距離感がつかみにくいなどの問題がある。
【００１０】
そこで、本発明の目的は、自車両近くの死角の発生を抑えつつ、車両の後側方の視野が拡げられる車両の後方視認用ミラー装置を提供することにある。
【課題を解決するための手段】
【００１１】
請求項１に記載の発明は、上記目的を達成するために、ミラーの鏡面のうち、車両内側の所定範囲の鏡面部分を、車両外側よりも大きな曲率に設定した構成を採用した。
【００１２】
同構成により、ミラーは、小さくとも十分に自車両および自車両の近くを視認可能な領域を確保しつつ、車両の後側方を映し込む視野角が拡げられる。しかも、自車両が映り込む領域は、大きな曲率の採用により、小さくてすむので、その分、車両後方の映り込み部分が大きく設定される。そのうえ、鏡面の車両の後側方を映し込む部分の全体は、一定の曲率が保たれる。
【００１３】
請求項２に記載の発明は、上記目的を達成するために、ミラーとして、車両内側の所定範囲を車両に対し前方かつ車両側に角度を付けた鏡面部分で形成された車両を映し込み用の第1鏡面部と、同第１鏡面部に続く車両外側の鏡面部分を前記車両に対し前方かつ車両外側に角度を付けた鏡面部分で形成された車両側方を映し込み用の第２鏡面部とを有する構成を採用した。
【００１４】
同構成により、ミラーは、自車両および自車両の近くを十分に視認可能な領域を確保しつつ、車両の後側方を映し込む視野角が拡げられる。そのうえ、鏡面の車両の後側方を映し込む第２鏡面部の全体は、一定な形状ですむ。
【００１５】
請求項３に記載の発明は、上記目的に加え、さらに十分な自車両の映り込みと車両側方の視野の拡大とがどのような車種でも両立されるよう、車両内側の所定範囲は、ミラーの鏡面のうち、車両内側から１／４〜１／８の部分とした。
【００１６】
請求項４に記載の発明は、上記目的に加え、さらに車両内側の所定範囲を活用して自車両の後輪接地位置近傍の確認も行えるよう、所定範囲の鏡面部分のうち、少なくとも下側の鏡面部分を、車両後方下側に向けて傾ける構成とした。
【発明の効果】
【００１７】
請求項１、２に記載の発明によれば、ミラーは、自車両近くの死角の発生を抑え、さらには違和感のない鏡像を確保したまま車両の後側方の視野を拡げることができる。
【００１８】
請求項３に記載の発明によれば、さらに、どのような車種、どのような外形を有するミラーでも、十分なる自車両の映り込みの確保と車両側方の視野の拡大とが図れる。
【００１９】
請求項４に記載の発明によれば、さらに、ミラーの所定範囲の鏡面部分を共用して、自車両の後輪接地位置近傍の確認もでき、一層、高い視認性が確保できる。
【発明を実施するための最良の形態】
【００２０】
［第1の実施形態］
以下、本発明を図１〜図４に示す第1の実施形態にもとづいて説明する。
【００２１】
図１は、車両、例えば乗用車の外観を示し、図２はアウトサイドミラー装置（後方視認用ミラー装置に相当）の外観を示し、図３が同ミラー装置のＡ−Ａ線に沿う平断面図を示し、図４は同ミラー装置の視認状況を示している。
【００２２】
図１中１は乗用車の車体、２は同車体１の前部に設けた前輪、３は同車体１の後部に設けた後輪、４は同車体１の車幅方向両側に設けたフロントドア、５は同じくリヤドアを示す。
【００２３】
また乗用車（車両）のうち、車両の側方後側が視認しやすい部位、例えばフロントドア４のドアパネル部４ａの上端部前側には、例えば電動式のアウトサイドミラー装置６（後方視認用ミラー装置に相当）が取り付けられている。
【００２４】
アウトサイドミラー装置６は、例えば図２および図３に示されるようにドアパネル部４ａの外面に取り付く支持脚８、同支持脚８に支持される開口が車両後方へ向くミラーハウジング１０、同ミラーハウジング１０の開口部を遮るように配置された平板状のミラー１１、ミラーハウジング１０内に組み付けたミラー角度調整用のミラー駆動機構１２を有して構成される。
【００２５】
また車両側部から側方へ突き出るように配置されたミラー１１は、車両後方に向く面に鏡面１３が施されている。この鏡面１３は、図２および図３に示されるように一般的な後方視認に適した曲率、平面からＲ１０００程度の曲率、例えば１５００Ｒ（半径Ｒ１）で形成される。この鏡面１３には車体側方の視野を拡げられる工夫が施されている。
【００２６】
同工夫には、図２および図３に示されるように鏡面１３のうち、車両内側の所定範囲αの鏡面部分１３ａを、車両外側の鏡面部分１３より大きな曲率とする構成が用いられている。例えば所定範囲αとしては、車種やミラー１１の大きさなどから、車両内側から１／４〜１／８となる範囲内に設定される。本実施形態では、当該車種にマッチする部位として、例えば図３中の上下方向に延びるδ稜線で区画された１／８となる車両内側の鏡面部分１３ａが設定してある。この所定範囲αの鏡面部分１３ａが、車両外側の鏡面部分１３ｂの曲率より大きな曲率で形成してある。具体的には、同鏡面部分１３ａは、外側の鏡面部分１３ｂの１５００Ｒに対し、それより小さい曲率、例えば５００Ｒ〜１０００Ｒの曲率で形成してある。
【００２７】
これにより、鏡面１３は、車両内側の鏡面部分１３ａが、自車両を映し込める領域（所定範囲α）と設定し、残る車両外側の鏡面部分１３ｂが、自車両の側方（後側方）を映し込める領域βと設定している。
【００２８】
こうしたアウトサイドミラー装置５は、ミラー駆動機構１２の作動により、図５に示されるようにミラー１１の位置を、運転席（図示しない）に着座している運転手Ｄのアイポイントに合わせて、鏡面部分１３ａ（車両内側）に自車両が映り込み、鏡面部分１３ｂ（車両外側）に自車両の側方が映り込むように位置決めて使用する。
【００２９】
すると、ミラー１１は、鏡面部分１３ａの曲率により（鏡面部分１３ｂの曲率より大）、鏡面部分１３ａの領域が、一般的な自車両を映し込む領域より小さくとも、十分に自車両および自車両近くの視認ができる状態が形成される。
【００３０】
鏡面部分１３ｂは、鏡面部分１３ａに自車両が映し込まれるよう位置決められることにより、車両の後側方を映し込む視野角が拡げられる。と同時に、車両の後側方が映り込む領域が広くなる（自車両が映り込む領域が小さくてすむことによる）。
【００３１】
こうした映り込みにより、ミラー１１は、自車両近くの死角の発生を防ぎ、さらには違和感のない鏡像が映し込まれる状況を保ちながら車両の後側方の視野を拡げることができる。特に自車両の斜め後方の視野は、視野角が途中で変化しないので、遠方あるいは自車両の外側から近づく車両も違和感なく視認でき、同車両に対する距離感が把握しやすい。
【００３２】
また車両内側の所定範囲を１／４〜１／８なる範囲と設定したことにより、どのような車種、どのような外形のミラー１１でも、十分なる自車両の映り込みと、車両の側方の視野拡大とが両立できる。
【００３３】
もちろん、ミラー１１が、従来と同じ視野でよいのであれば、視野が拡大される分をなくすことにより、従来のミラー１１に比べ、アウトサイドミラー装置のコンパクト化が図れる。それによって、鏡面ガラス、樹脂部材の省資源かがはかれるとともに小型化により風切り音に対して有利である。また走行時のすれ違い時ミラーハウジング出っ張り量が従来より約１０％程度小型化できることにより接触の事故も軽減される。
【００３４】
［第２の実施形態］
図５は本発明の第２の実施形態を示す。
【００３５】
本実施形態は、曲率を変えて所定範囲を形成したのではなく、鏡面１３に角度を付けることによって、十分なる自車両の映り込みと、車両の側方の視野拡大との両立を図ったものである。
【００３６】
すなわち、同実施形態は、車幅方向に対し角度θ１を付けた例えば平面の鏡面１３を採用して、角度θ１で形成される稜線部分δを境として、車両内側に、自車両に対し前方かつ車両内側（鏡面に車両が映る方向）に角度を付けた所定範囲αの鏡面部分１３ａを形成し、車両外側の鏡面部分１３ｂに、該鏡面部分１３ａから前方かつ車両外側（鏡面に車両側方の風景が映る方向）に角度を付けた鏡面部分１３ｂを形成したものである。具体的には、鏡面１３は、ミラー１１の車両内側から１／４〜１／８となる範囲内の地点から、車両内側の鏡面部分１３ａを車両外側の鏡面部分１３ｂよりも車両前方へ所定角度θ１、例えば１０〜１５度で傾かせてある。そして、鏡面部分１３ａから、自車両が移り込める鏡面部２３ａを形成し、鏡面部２３ａに続く鏡面部分１３ｂから、自車両の側方を映り込ませる鏡面部２３ｂを形成している。なお、βは同鏡面部２３ｂの領域を示す。
【００３７】
このような構成でも、ミラー１１は、自車両近くの死角の発生を防ぎ、さらには違和感のない鏡像が映し込まれる状況を保ちながら（車両の後側方を映し込む鏡面部分１３ｂの全体の形状が一定に保たれていることによる）、車両の後側方の視野を拡げることができる。
【００３８】
なお、図５において、第1の実施形態と同一部分には同一符号を付してその説明を省略した。
【００３９】
［第３の実施形態］
図６は本発明の第３の実施形態を示す。
【００４０】
本実施形態は、ミラー１１の所定範囲αの鏡面部分１３ａを利用して、図１中の二点鎖線の矢印Ｘに示されるように自車両の後輪３の接地位置近傍Ｔの視認も行えるようにしたものである。
【００４１】
具体的には、同実施形態は、所定範囲αを形成している鏡面部分１３ａのうち、下側の鏡面部分、ここでは例えば下側から１／３〜１／２位に有る鏡面部分１３ｃを車両後方下側に向け傾けて、同鏡面部分１３ｃに後輪３の接地位置近傍Ｔおよびその周辺が映し込めるようにしたものである。なお、θ２はその傾けた角度を示す。
【００４２】
［第４の実施形態］
図７は本発明の第４の実施形態を示す。
【００４３】
本実施形態は、第３の実施形態の変形例で、所定範囲αの全体を車両後方下側へ向けて傾けたものである。このようにしても第３の実施形態と同様の効果を奏する。
【００４４】
なお、図６，７において、第1の実施形態と同一部分には同一符号を付してその説明を省略した。
【００４５】
但し、本発明は上述した第1〜４の実施形態に限定されるものではなく、本発明の主旨を逸脱しない範囲内で種々変更して実施しても構わない。例えば上述のいずれの実施形態も、フロントドアに取り付けられるアウトサイドミラー装置を挙げたが、これに限らず、車体に取り付けられるアウトサイドミラー装置に本発明を適用してもよい。
【図面の簡単な説明】
【００４６】
【図１】本発明の第１の実施形態の後方視認用ミラー装置を、同装置を搭載した車両と共に示す斜視図。
【図２】同ミラー装置を拡大して示す斜視図。
【図３】図２中のＡ−Ａ線に沿う後方視認用ミラー装置の平断面図。
【図４】同ミラー装置による車両後方の視認状態を示す一部切欠した平面図。
【図５】本発明の第２の実施形態の要部となる後方視認用ミラー装置の平断面図。
【図６】本発明の第３の実施形態の要部となるミラーの斜視図。
【図７】本発明の第４の実施形態の要部となるミラーの斜視図。
【符号の説明】
【００４７】
１…車体、３…後輪、６…アウトサイドミラー装置、１１…ミラー、１３…鏡面、１３ａ…車両内側の鏡面部分（所定範囲）、１３ｂ…車両外側の鏡面部分、１３ｃ…下向きの鏡面部分、２３ａ，２３ｂ…鏡面部、θ１，θ２，θ３…角度。
【図１】
2006123713.tif 000003
【図２】
2006123713.tif 000004
【図３】
2006123713.tif 000005
【図４】
2006123713.tif 000006
【図５】
2006123713.tif 000007
【図６】
2006123713.tif 000008
【図７】
2006123713.tif 000009